(57)【要約】【課題】着用者に与える圧迫感や痛みを抑制し、しかも、乳房が脇へ流れるのをより確実に防いで美しく補整することができ、衣類へ装着しやすい乳房カップの補強部材を提供することを目的とするものである。【解決手段】乳房カップの下方に取り付けられるフランジ部と、前記フランジ部の上縁から前記乳房カップ側に張り出す立ち上がり部とを形成した乳房カップの補強部材であって、前記フランジ部を可撓性および剛性を備えた素材で構成するとともに、前記立ち上がり部を軟質素材で形成し、両者を一体化したことを特徴とする乳房カップの補強部材。【選択図】  図４
2006070377.tif 000002
【特許請求の範囲】
【請求項１】
乳房カップの下方に取り付けられるフランジ部と、前記フランジ部の上縁から前記乳房カップ側に張り出す立ち上がり部とを形成した乳房カップの補強部材であって、
前記フランジ部を可撓性および剛性を備えた素材で構成するとともに、前記立ち上がり部を軟質素材で形成し、両者を一体化したことを特徴とする乳房カップの補強部材。
【請求項２】
前記フランジ部と前記立ち上がり部との両者を、成形時に一体化してなる請求項１に記載の乳房カップの補強部材。
【請求項３】
前記フランジ部と前記立ち上がり部との両者を、それぞれ接着剤もしくは熱溶着により接合一体化してなる請求項１に記載の乳房カップの補強部材。
【発明の詳細な説明】
【技術分野】
【０００１】
本発明は、ブラジャー、ボディスーツ、ブラスリップ、ビスチェ、水着、スリップドレス等の衣類に装着する乳房カップの補強部材に関する。
【従来の技術】
【０００２】
一般的に、ブラジャー等の衣類に使用する乳房カップにおいては、乳房の形状を美しく整える機能を高めるために、乳房カップの下縁に沿って布製のチャネル部材を取り付け、このチャネル部材の内部に円弧状のワイヤを収納して補整ないし補強するようにしていた。ところが、乳房を内側上方に寄せ上げるために、ワイヤには所定以上の剛性を付与してあり、しかも、ワイヤの断面は非常に細く形成してあるので、肌に食い込んで圧迫感や痛みを与えることがあった。また、繰り返し洗濯すると、細いワイヤの端部がチャネル部材を突き破って露出する心配もあった。
【０００３】
そのため従来、カップ部分の下方周縁部に沿って縫着される取付用の周縁フランジ部と、このフランジ部に対し９０゜以上の角度で立ち上がる乳房受部とを有し、全体が可撓性のあるゴム状の弾性材料で構成された体型補整具を、前記カップ部分に取り付ける技術が実公平３−４８１６２号公報（特許文献１参照）に開示されている。これによれば、面で乳房を持ち上げるため顕著なバストアップ効果が得られるとともに、ワイヤに比べて肌に当たる面積が広いので、着用者に与える圧迫感や痛みが少なくて済む。しかし、カップ部分の下方周縁から乳房受部が幅広く立ち上がっているので、乳房の重みによって乳房受部を外方に回転させようとするモーメントが働き、特に、脇部寄りにおいては乳房が外側に流れようとするため、このモーメントが大きくなる。ところが、上記従来の技術では、補整具の脇寄りに加わるモーメントに抵抗する手段を備えていないため、乳房の脇方向への流れを完全に防ぐことはできなかった。
【０００４】
また、乳房カップの下縁に沿ってカップワイヤーが設けられ、乳房カップの脇側の縁に沿って、その外側に面状に延在するアモルファス樹脂シート状片が配設された女性用衣類が特許第３０６９２３７号公報（特許文献２参照）に開示されている。ところが、このものはバストアップ機能を主としてワイヤに頼っているので、ワイヤの食い込みや脱出を完全に無くすことはできない。また、ワイヤとアモルファス樹脂シート状片とが別体で素材も異なるため、ワイヤに加わる力が確実にアモルファス樹脂シート状片へ伝わるとはいえず、さらに、製造工程の同じ段階で同時に取り付けることができないため、製造が面倒であった。
【０００５】
そこで、着用者に与える圧迫感や痛みを抑制し、しかも、乳房が脇へ流れるのを確実に防いで美しく補整することができ、衣類へ装着しやすい乳房カップを提供するため、特開２００３−１１３５０５号公報（特許文献３参照）に示すように、可撓性及び乳房を保持可能な剛性を備え、乳房カップの下方に取り付けられる鍔部と、該鍔部の上縁から前記乳房カップ側に張り出す立ち上がり部とを一体に形成して成り、前記鍔部はその脇寄り端部に幅広いフィン部が形成されていることを特徴とする乳房カップの補強部材が提案された。
【特許文献１】実公平３−４８１６２号公報
【特許文献２】特許第３０６９２３７号公報
【特許文献３】特開２００３−１１３５０５号公報
【発明の開示】
【発明が解決しようとする課題】
【０００６】
とはいえ、前記特開２００３−１１３５０５号公報（特許文献３参照）に示された乳房カップの補強部材においては、いまだ着用者に与える圧迫感や痛みを抑制し、乳房が脇へ流れるのを確実に防いで美しく補整するという機能の面で見て不充分であった。
この発明は、着用者に与える圧迫感や痛みを抑制し、しかも、乳房が脇へ流れるのをより確実に防いで美しく補整することができ、衣類へ装着しやすい乳房カップの補強部材を提供することを目的とするものである。
【課題を解決するための手段】
【０００７】
すなわちこの発明の乳房カップの補強部材は、乳房カップの下方に取り付けられるフランジ部と、前記フランジ部の上縁から前記乳房カップ側に張り出す立ち上がり部とを形成した乳房カップの補強部材であって、
前記フランジ部を可撓性および剛性を備えた素材で構成するとともに、前記立ち上がり部を軟質素材で形成し、両者を一体化したことを特徴とするものである。
【０００８】
この発明の乳房カップの補強部材は、前記フランジ部と前記立ち上がり部との両者を、成形時に一体化したことをも特徴とするものである。
【０００９】
この発明の乳房カップの補強部材は、前記フランジ部と前記立ち上がり部との両者を、それぞれ接着剤もしくは熱溶着により接合一体化したことをも特徴とするものである。
【発明の効果】
【００１０】
前記軟質素材で構成した立ち上がり部は、その柔軟性で着用者へ与える圧迫感や痛みを防ぐことができる。また可撓性および剛性を備えた素材で構成したフランジ部は、乳房の重みによって脇部へ加わるモーメントに対向して、乳房が脇方向へ流れるのを防ぎ、バストを内側へ寄せて美しく補整する。このような機能を備えたフランジ部と立ち上がり部とを一体に形成した結果、立ち上がり部に加わる力が確実にフランジ部で支持されるようになった。
【発明を実施するための最良の形態】
【００１１】
以下、この発明の乳房カップの補強部材の実施の形態を、ブラジャーに適用した場合を例にとって図面に基いて詳細に説明する。
図１はこの発明の乳房カップの補強部材をブラジャーに適用した場合の斜視図、図２はその断面図、図３はこの発明の乳房カップの補強部材の１実施例を示す平面図、図４はその断面図である。
【００１２】
図１に示すように、ブラジャーは、土台布１の前部両側に乳房カップ２を設け、乳房カップ２の下縁に沿ってそれぞれ補強部材３を配設して構成される。土台布１は、着用者の胸囲部を一周する長さを有し、その両端には互いに着脱自在に係合するフックが装着されている。乳房カップ２は、図２に示すように、従来公知の素材より成る内面布４、外面布５及び装飾レース６を、内面側からこの順に重ねて形成される。内面布４にはソフトファイバーフィル等の柔らかい素材を用い、外面布５には、ハードファイバーフィル等のこれよりやや硬い素材を用いる。また、乳房カップ２の上端中央部から土台布１の上端背面側にかけて、ストラップ７が架け渡されている（図１）。
【００１３】
補強部材３は、内面布４と外面布５との間に配設され（図２）、乳房カップ２の下縁の形状に沿った略円弧状をなす（図１）。
また、補強部材３は、図３及び図４に示すように、乳房カップ２の下方に取り付けられるフランジ部８と、フランジ部８の上縁から乳房カップ２側に張り出す立ち上がり部９とを一体的に形成してある。フランジ部８の幅は６mm〜７mm程度であるが、このフランジ部８の寸法は、ブラジャーのサイズによって適宜変更することができる。
【００１４】
立ち上がり部９の傾斜角度は、バストを理想的な形状に保持するように、前中心寄りの端部では急角度であり、脇に近づくに従って次第に緩やかになっている。また、立ち上がり部９の立ち上がり高さも、前中心寄りの端部では低く、脇に近づくに従って次第に高く形成してある。このため、立ち上がり部９が乳房の前中心寄りに食い込むことがなく、乳房を内側へ寄せる効果が高まる。
【００１５】
また、補強部材３を構成するフランジ部８は、可撓性と乳房を保持可能な剛性とを兼ね備えた素材を用いる。例えば、モールド加工した硬質のビニール系樹脂、オレフィン系樹脂、ポリカーボネート系樹脂やポリエステル系樹脂を用いる。
さらに、立ち上がり部９は、乳房及び脇部への肌当たりを良くするとともに、身体のラインに馴染みやすくするために、軟質素材で柔らかく形成してある。このような軟質素材としては、軟質のビニール系樹脂、オレフィン系樹脂、シリコン系樹脂が使用できる。
【００１６】
前記補強部材３は、フランジ部８と立ち上がり部９が一体的に形成されている。このような一体化に際しては、前記フランジ部と前記立ち上がり部の両者を、モールド加工時に一体化することができる。例えば、可撓性と乳房を保持可能な剛性とを兼ね備えたフランジ部８を予め成形しておき、これを成形型内にセットして軟質素材からなる前記立ち上がり部を充填して、成形時に一体化することができる。
【００１７】
前記補強部材３の一体化に際しては、前記フランジ部８と前記立ち上がり部９との両者を予め成形しておき、両者を突き合わせて接着剤もしくは熱溶着により接合一体化することができる。
もちろん、上記モールド加工時に一体化する場合や熱溶着により接合一体化する場合のみならず、接着剤で接合一体化する場合においても、前記フランジ部８と前記立ち上がり部９との両者の接合に際しては、剥離防止のため、それぞれの素材が互いになじみのよいものであることが必要である。
いずれの方法を採用するにしても、前記フランジ部と前記立ち上がり部の両者の接合部分は、図４に示すように一方をコ字状の受け部１０とし、他方の薄片をその間隙にはめ込むようにすることが望ましい。このようにすれば両者の接合部分の強度が向上し、前記フランジ部が前記立ち上がり部を確実に支持するようにすることができる。
【００１８】
補強部材３は、円弧状に湾曲し、フランジ部８に対して立ち上がり部９が傾斜して成形されているので、内面布４と外面布５との間に挟んで一度に縫製しようとすると、立ち上がり部９を押し潰して平らにしながら縫わなければならない。このようにすると、縫い難いばかりか、補強部材３の湾曲形状が広がって変形してしまい、乳房カップ２の正確な位置に取り付けることができない。そこで、内面布４、補強部材３及び外面布５は、次のようにして互いに取り付けられる。
【００１９】
予め、外面布５と装飾レース６とを縫いつけてアウターカップを形成し、このアウターカップの下縁部表面に沿ってカバー布１３の上端部を縫着しておく（図２）。なお、カバー布１３としては、マーキゼットの表面にレースを重ねたもののように、装飾性に富んだ素材を用いると良い。
【００２０】
また、乳房カップ２の下方に配置される土台布１の裏面にトリコット布１２の一側部を縫いつけ、土台布１と内面布４とを縫い合わせる。さらに、土台布１の表面に、その下縁に沿って弾性帯布１４を縫いつける。また、内面布４の表面下縁に沿って補強部材３のフランジ部８を重ねて互いに逢着する。そして、内面布４の裏面下部にベロア等を素材とするチャネル部材１１の上部を重ねて、フランジ部８、内面布４及びチャネル部材１１の上部を逢着するとともに、土台布１の裏面にチャンネル部材１１の下端部を重ねて、弾性帯布１４，土台布１及びチャンネル部材１１の下部を縫着する。
【００２１】
次いで、カバー布１３の下部とトリコット布１２の他側部とを中表に縫い付けた後、この縫い目から折り返し、アウターカップの上縁と内面布４の上縁とを縫い合わせる。この結果、フランジ部８が乳房カップ２の下方に配置され、立ち上がり部９が内面布４と外面布５との間において乳房カップ２側に張り出される。また、上記したように内面布４、補強部材３及び外面布５を接合すれば、補強部材３を変形させることなく、簡単に乳房カップ２へ取り付けることができ、しかも、縫着部分がカバー布１３で被覆されるため、体裁も良い。
【産業上の利用可能性】
【００２２】
本発明の乳房カップの補強部材は、ブラジャー、ボディスーツ、ブラスリップ、ビスチェ、水着、スリップドレス等の衣類に装着して使用することができる。
【図面の簡単な説明】
【００２３】
【図１】この発明の乳房カップの補強部材をブラジャーに適用した場合の斜視図である。
【図２】その断面図である。
【図３】この発明の乳房カップの補強部材の１実施例を示す平面図である。
【図４】その断面図である。
【符号の説明】
【００２４】
１ 土台布
２ 乳房カップ
３ 補強部材
４ 内面布
５ 外面布
６ 装飾レース
７ ストラップ
８ フランジ部
９ 立ち上がり部
１０ 受け部
１１ チャネル部材
１２ トリコット布
１３ カバー布
１４ 弾性帯布
【図１】
2006070377.tif 000003
【図２】
2006070377.tif 000004
【図３】
2006070377.tif 000005
【図４】
2006070377.tif 000006